(57)【要約】      （修正有）【課題】通常時は雨樋として使用し、且つ、緊急時は昇降装置としても兼用可能な、安全で安価で、訓練することで誰でも容易に昇降可能な緊急避難用昇降装置兼雨樋を提供する。【解決手段】ビルやアパート等の建物の屋上から地上間の側壁部に立設し、且つ、建物の高さに適合した所定寸法を有し、且つ、上端から所定寸法離した屋上排水口部位置にホース接続口を設け、且つ、下端部に落下防止用ストッパーをそれぞれ設けた高強度昇降ポールと、高強度昇降ポールを側壁に係止する支持部材と、屋上排水口と高強度昇降ポールの接続口間を接続する排水用接続部材から成るものである。【選択図】図５
0003155262.tif 000002
【実用新案登録請求の範囲】
【請求項１】
地震や火災等の緊急避難時に昇降用として使用可能で、且つ、雨樋としても兼用可能な装置であって、該装置はビルやアパート等の建物（ＢＵ）の屋上から地上間の側壁部に立設し、且つ、建物の高さに適合した所定寸法（Ｌ１）を有し、且つ、上端から所定寸法（Ｌ２）離した屋上排水口部（ＲＤ）位置にホース接続口（１ａ）を設けた高強度昇降ポール（１）と、高強度昇降ポール（１）を側壁に係止する支持部材（２）と、屋上排水口（ＲＤ）と高強度昇降ポールの接続口（１ａ）間を接続する排水用接続部材（３）から成る事を特徴とする緊急避難用昇降装置兼雨樋。
【請求項２】
高強度昇降ポール（１）の上下方向の左右両側又は片側左右交互に所定間隔（Ｐ）離して設けたステップ（４）をそれぞれ有する事を特徴とする請求項１記載の緊急避難用昇降装置兼雨樋。
【考案の詳細な説明】
【技術分野】
【０００１】
この考案は、地震や火災等の緊急避難時に昇降用として使用可能で、且つ、雨樋としても兼用可能な緊急避難用昇降装置兼雨樋に関するものである。
【背景技術】
【０００２】
従来、一般的な建物には地震や火災等の緊急避難用として特殊な昇降装置が設けられている事は殆ど見受けられない。しかし、中には非常階段や梯子等が設けられているところがたまにあるが、使用頻度や、スペースの問題や、コスト的に高価になる等、多くの問題が生じる為、殆ど設けられていないというのが実態である。
【０００３】
又、近年では異常気象に加え、社会全般も不況の影響を受け、又、放火による火災や、強盗殺人や、交通事故等、人間の生命を脅かす事件や事故や犯罪が身近で起こっているというのが現状である。
【０００４】
そこで、上記問題を少しでも解決し、且つ、雨樋としても兼用可能な安全・安価で緊急時には避難用として使用可能な緊急避難用昇降装置兼雨樋の開発が望まれている。
【先行技術文献】
【特許文献】
【０００５】
この考案に関連した緊急避難用具の特許文献を参考の為、紹介する（特許文献１参照）。
【特許文献１】登録実用新案第３１３６３４３号
【考案の概要】
【考案が解決しようとする課題】
【０００６】
そこで、上記課題を解決する為に、この考案は、通常時は雨樋として使用し、且つ、緊急時は昇降装置としても兼用可能な、安全で安価で、訓練することで誰でも容易に昇降可能な緊急避難用昇降装置兼雨樋を開発・提供する事にある。
【課題を解決するための手段】
【０００７】
課題を解決するための手段として、ビルやアパート等の建物の屋上から地上間の側壁部に立設し、且つ、建物の高さに適合した所定寸法を有し、且つ、上端から所定寸法離した屋上排水口部位置にホース接続口を設けた高強度昇降ポールと、高強度昇降ポールを側壁に係止する支持部材と、屋上排水口と高強度昇降ポールの接続口間を接続する排水用接続部材から成るものである。
【考案の効果】
【０００８】
この考案の効果として、ビルやアパート等の建物の屋上から地上間の側壁部に立設し、且つ、建物の高さに適合した所定寸法を有し、且つ、上端から所定寸法離した屋上排水口部位置にホース接続口を設けた高強度昇降ポールと、高強度昇降ポールを側壁に係止する支持部材と、屋上排水口と高強度昇降ポールの接続口間を接続する排水用接続部材から成る事で、緊急時以外は雨樋として使用し、且つ、緊急時は昇降装置としても兼用可能な、安全で安価で、訓練することで誰でも容易に昇降可能に成る為、火災による死傷者や負傷者が激減し、又、特別な訓練を行う事で、高所恐怖症を克服出来る等、極めて有益なる効果を奏するものである。
【図面の簡単な説明】
【０００９】
【図１】この考案の一実施例を示し、高強度昇降ポールの（Ａ）は平面視断面図で、（Ｂ）は正面図である。
【図２】この考案の一実施例を示し、支持部材の（Ａ）は平面図で、（Ｂ）は正面図である。
【図３】この考案の一実施例を示し、排水用接続部材の（Ａ）は平面図で、（Ｂ）は正面図である。
【図４】この考案の使用例を示し、緊急避難用昇降装置兼雨樋の取付要領を示す、（Ａ）は平面図で、（Ｂ）は正面図である。
【図５】この考案の使用例を示し、緊急避難用昇降装置兼雨樋の取付要領を示す、左側面図である。
【図６】この考案のその他の使用例を示し、緊急避難用ステップ付昇降装置兼雨樋の取付要領を示す、（Ａ）は平面図で、（Ｂ）は正面図である。
【考案を実施するための形態】
【００１０】
考案を実施するための形態として、地震や火災等の緊急避難時に昇降用として使用可能で、且つ、雨樋としても兼用可能な装置であって、該装置はビルやアパート等の建物（ＢＵ）の屋上から地上間の側壁部に立設し、且つ、建物の高さに適合した所定寸法（Ｌ１）を有し、且つ、上端から所定寸法（Ｌ２）離した屋上排水口部（ＲＤ）位置にホース接続口（１ａ）を設けた高強度昇降ポール（１）と、高強度昇降ポール（１）を側壁に係止する支持部材（２）と、屋上排水口（ＲＤ）と高強度昇降ポールの接続口（１ａ）間を接続する排水用接続部材（３）から成る事を特徴とする緊急避難用昇降装置兼雨樋から構成される。
【００１１】
又、高強度昇降ポール（１）の上下方向の左右両側又は片側左右交互に所定間隔（Ｐ）離して設けたステップ（４）をそれぞれ有する事を特徴とする緊急避難用昇降装置兼雨樋から構成される。
【実施例１】
【００１２】
そこで、この考案の一実施例を図１〜図３に基づいて詳述すると、まず、図１（Ａ）（Ｂ）は高強度昇降ポール（１）で、（Ａ）は平面視断面図で、（Ｂ）は正面図である。そして、前記昇降ポール（１）の外径寸法は、約Φ１００ｍｍ×肉厚約１０ｍｍの厚肉鋼管で全長は使用する建物の高さに一定の長さ（屋上の足場上面から約１５００ｍｍの高さ）を加えた所定長さ（Ｌ１）に調整したものを使用し、該厚肉鋼管の上端部には円形状の蓋板（１ｃ）を溶着して設け、且つ、該昇降ポールの上端から所定寸法（Ｌ２）離した屋上排水口部（ＲＤ）位置にホース接続口（１ａ）を設け、且つ、下端部には落下防止用フランジ型ストッパー（１ｂ）をそれぞれ溶着して設けたものである。尚、上記昇降ポール（１）は大人が５〜６人同時にぶら下がっても充分耐えられる強度を有するものである。
【００１３】
そして、図２（Ａ）（Ｂ）は上記昇降ポール（１）を建物の壁面に固着する為に使用するもので、左右両端部にアンカーボルト（Ｂ）・ワッシャ（Ｗ）等の係止部材で固着する為の、係止用穴（２ａ）（２ａ）をそれぞれ設けている。
【００１４】
次に、図３（Ａ）（Ｂ）は建物の屋上排水口部（ＲＤ）と昇降ポール（１）間を接続して雨水を排出させる為のホース等の排水用接続部材（３）であって、該排水用接続部材（３）の両端部には固定用バンド等の係止部材（３ａ）がそれぞれ設けられている。
【００１５】
次に、この考案の取付要領と使用方法について詳述すると、まず、取付要領は図４（正面図）・図５（左側面図）に示す様に、建物の屋上の排水口及び地上にあるマンホール（ＭＨ）等の排水口のある位置に極力合わせて昇降ポール（１）を垂直方向に立てて複数の支持部材（２）とアンカーボルト（Ｂ）・ワッシャ（Ｗ）等の係止部材を使用して堅牢に固着する。そして、屋上の排水口部（ＲＤ）と昇降ポール（１）のホース接続口（１ａ）間に配ホース等の排水用接続部材（３）を差し込み、固定用バンド等の係止部材（３ａ）で強固に締め付け固着する。
【００１６】
そして、使用方法は、例えば屋上又はベランダーから降りる場合は、昇降ポール（１）をしっかり握り、建物の壁部又はベランダー上部に足を掛けて昇降する。
【実施例２】
【００１７】
その他の実施例として、図６に示す様に上記の実施例１の昇降ポール（１）のベランダーとベランダーの空間部に、所定間隔（Ｐ）離した複数のステップ（４）をそれぞれ設けて、昇降し易くしたものである。又、このステップ（４）は左右両側に設けられているが、状況に応じて片側左右交互に設けても良い。そして、昇降時は昇降ポール（１）をしっかり握り、ステップ（４）に足を掛けて昇降する。
【産業上の利用可能性】
【００１８】
この考案の緊急避難用昇降装置兼雨樋は、通常時は雨樋として使用し、且つ、緊急時は昇降装置としても兼用可能な、安全で安価で、訓練することで誰でも容易に昇降可能である事で、多くの一般住民に寄与する為、産業上の利用可能性を有する。
【符号の説明】
【００１９】
１  高強度昇降ポール
１ａ  ホース接続口
１ｂ  落下防止用ストッパー
１ｃ  蓋板
２  支持部材
２ａ  係止穴
３  排水用接続部材
３ａ  固定バンド等の係止部材
４  ステップ
Ｂ  ボルト
ＢＵ  建物
Ｌ１  所定寸法
Ｌ２  所定寸法
ＭＨ  下水管
ＲＤ  屋上排水口
Ｗ  ワッシャ
【図１】
0003155262.tif 000003
【図２】
0003155262.tif 000004
【図３】
0003155262.tif 000005
【図４】
0003155262.tif 000006
【図５】
0003155262.tif 000007
【図６】
0003155262.tif 000008